(57)【要約】【課題】柔軟なシースを用いても処置をするときに迅速に硬固とし、屈曲状態を硬固に保持すること。【解決手段】先端近傍にく字状の屈曲部６を有し密着コイルからなる可撓性のシース２と、シース２の先端に設けられる処置部４と、シース２に挿通され処置部４に連結される操作ワイヤー１５と、操作ワイヤー１５基端及びシース２基端に連結され、操作ワイヤー１５を進退操作することにより処置部４を操作する操作部とを含む医療用処置具に、シース２の先端を基端側に牽引するための突っ張りワイヤー７をシース２の軸中心より屈曲部６の屈曲内部６ｂに向かう方向に配置する。【選択図】図２
2014184011.tif 000002
【特許請求の範囲】
【請求項１】
先端近傍にく字状の屈曲部を有し密着コイルからなる可撓性のシースと、
該シースの先端に設けられる処置部と、
前記シースに挿通され前記処置部に連結される操作ワイヤーと、
該操作ワイヤー基端及び前記シース基端に連結され、前記操作ワイヤーを進退操作することにより前記処置部を操作する操作部とを含む医療用処置具であって、
前記シースの先端を基端側に牽引するための突っ張りワイヤーが、前記シースの軸中心より前記屈曲部の屈曲内部に向かう方向に配置されることを特徴とする医療用処置具。
【請求項２】
前記操作部に、前記突っ張りワイヤーを牽引操作するための牽引部材が取り付けられることを特徴とする請求項１記載の医療用処置具。
【請求項３】
前記操作部は、前記シースの基端に連結される操作部本体と、前記操作ワイヤーの基端に連結され前記操作部本体にスライド可能に取り付けられたスライダーとを有し、前記操作部本体に、前記突っ張りワイヤーを牽引操作するための牽引部材が取り付けられることを特徴とする請求項１記載の医療用処置具。
【請求項４】
前記操作部には、係合溝が複数形成され、前記牽引部材には、前記係合溝と係合し、係合する前記係合溝を変えることによって牽引位置を調整するための係合ピンが備えられることを特徴とする請求項２または３に記載の医療用処置具。
【請求項５】
前記突っ張りワイヤーの基端には、該基端を覆うストッパーが設けられ、前記牽引部材には、前記突っ張りワイヤーの非牽引状態においては、前記ストッパーの軸方向前後に空間を有し、前記突っ張りワイヤーの牽引状態においては、前記ストッパーの前方が当接して固定されるように保持孔が形成された固定板が設けられることを特徴とする請求項２から４のいずれかに記載の医療用処置具。
【請求項６】
前記係合ピンには、常態で係合方向に付勢するバネが取り付けられていることを特徴とする請求項４又は５に記載の医療用処置具。
【請求項７】
前記シースの先端には、前記処置部を開閉可能に保持する先端支持枠が設けられ、前記突っ張りワイヤーの先端は、前記先端支持枠に取り付けられることを特徴とする請求項１から６の何れかに記載の医療用処置具。
【請求項８】
前記シースには、前記屈曲部が複数設けられていることを特徴とする請求項１から７の何れかに記載の医療用処置具。
【発明の詳細な説明】
【技術分野】
【０００１】
本発明は、腹腔鏡手術等に用いられる医療用処置具に係る。
【背景技術】
【０００２】
一般に腹腔鏡手術等に用いられる医療用処置具は、腹腔内に挿入されたチューブ状の案内管であるトラカール内に挿入され、トラカール先端から腹腔内に突出させて使用されるものであり、例えば、鉗子や鋏等の医療用処置具は、先端に患部の切除等を行う為の鉗子カップ等の一対の処置片からなる処置部が連結される操作ワイヤーが円筒状のシース内に挿通され、この操作ワイヤーを進退操作することによって、シース先端において処置部を開閉駆動するのが一般的である。
【０００３】
そして、このような医療用処置具は、狭い腹腔内の近接した位置を処置するために、シースの先端近傍を折り曲げた屈曲部を設けることがあり、またトラカール内に屈曲部が接触して鉗子部を通し難くなることを回避するためや、臓器に接触した際に臓器を損傷しないため等の理由から、シースは比較的柔軟に形成されるのが一般的である。このような従来技術による医療用処置具が記載された文献としては、下記の特許文献が挙げられる。
【０００４】
特許文献１には、密巻きコイルからなり先端に屈曲部を有するシースと、シース先端に設けられた処置部である鉗子部と、シース内に挿通される操作ワイヤーと、操作ワイヤーを操作して鉗子部を開閉するための操作部からなる処置具において、操作部をスライダーと操作部本体とにより構成し、スライダーに操作ワイヤーの基端に取り付け固定された止め部材をはめ込むと共に、止め部材の回転を阻止する固定手段を設けることにより、操作部の回転操作を鉗子部に良好に伝えて安定した操作をさせる技術が記載されている。
【０００５】
また、特許文献２には、先端に屈曲形状に形状記憶された挿入パイプ（シース）と、挿入パイプ先端に設けられた処置部と、処置部を開閉するための操作部からなる処置具において、操作部に設けられた送水口金から挿入パイプに温水または冷水を注入することによって加熱または冷却して挿入パイプの形状を屈曲状態と直線状態とに変形させる技術が記載されている。
【先行技術文献】
【特許文献】
【０００６】
【特許文献１】実開平５−２１９１３号公報
【特許文献２】特開平４−１３５５５４号公報
【発明の概要】
【発明が解決しようとする課題】
【０００７】
前述の特許文献１に記載された医療用処置具は、操作部の回転操作を鉗子部に良好に伝える技術が記載されているが、シースが比較的柔軟に形成されているため、処置箇所である粘膜面に鉗子部を強く押し当てることができない。また、鉗子部を開く為に操作ワイヤーを押すと屈曲状態となるが、鉗子部を閉じた後さらに操作ワイヤーを牽引操作すると、屈曲部は伸長された状態となるため、伸長された状態または屈曲状態を保持したまま粘膜面に押し当てて処置することができないという課題があった。
また、特許文献２に記載された医療用処置具は、挿入パイプを温水によって加熱することにより形状記憶された屈曲状態を保つことができるものの、温水の注入および直線状態にする際の冷水の注入には時間がかかるため、迅速な処置の妨げになるという課題があった。
【０００８】
このような課題に鑑みて、本発明は、前述の従来技術による課題を解決しようとするものであり、柔軟なシースを用いても処置をするときに迅速に硬固とすることができ、先端近傍を屈曲させたシースの屈曲状態を硬固に保持することのできる医療用処置具を提供することを目的とする。
【課題を解決するための手段】
【０００９】
前記の目的を達成するために本発明は、先端近傍にく字状の屈曲部を有し密着コイルからなる可撓性のシースと、該シースの先端に設けられる処置部と、前記シースに挿通され前記処置部に連結される操作ワイヤーと、該操作ワイヤー基端及び前記シース基端に連結され、前記操作ワイヤーを進退操作することにより前記処置部を操作する操作部とを含む医療用処置具であって、前記シースの先端を基端側に牽引するための突っ張りワイヤーが、前記シースの軸中心より前記屈曲部の屈曲内部に向かう方向に配置されることを特徴とする。
【００１０】
また、本発明は、前記操作部に、前記突っ張りワイヤーを牽引操作するための牽引部材が取り付けられることを特徴とする。
【００１１】
また、本発明は、前記操作部は、前記シースの基端に連結される操作部本体と、前記操作ワイヤーの基端に連結され前記操作部本体にスライド可能に取り付けられたスライダーとを有し、前記操作部本体に、前記突っ張りワイヤーを牽引操作するための牽引部材が取り付けられることを特徴とする。
【００１２】
また、本発明は、前記操作部には、係合溝が複数形成され、前記牽引部材には、前記係合溝と係合し、係合する前記係合溝を変えることによって牽引位置を調整するための係合ピンが備えられることを特徴とする。
【００１３】
また、本発明は、前記突っ張りワイヤーの基端には、該基端を覆うストッパーが設けられ、前記牽引部材には、前記突っ張りワイヤーの非牽引状態においては、前記ストッパーの軸方向前後に空間を有し、前記突っ張りワイヤーの牽引状態においては、前記ストッパーの前方が当接して固定されるように保持孔が形成された固定板が設けられることを特徴とする。
【００１４】
また、本発明は、前記係合ピンには、常態で係合方向に付勢するバネが取り付けられていることを特徴とする。
【００１５】
また、本発明は、前記シースの先端には、前記処置部を開閉可能に保持する先端支持枠が設けられ、前記突っ張りワイヤーの先端は、前記先端支持枠に取り付けられることを特徴とする。
【００１６】
また、本発明は、前記シースには、前記屈曲部が複数設けられていることを特徴とする。
【発明の効果】
【００１７】
本発明による医療用処置具は、先端近傍にく字状の屈曲部を有し密着コイルからなる可撓性のシースと、シースの先端に設けられる処置部と、シースに挿通され前記処置部に連結される操作ワイヤーと、操作ワイヤー基端及びシース基端に連結され、操作ワイヤーを進退操作することにより処置部を操作する操作部とを含む医療用処置具であって、シースの先端を基端側に牽引するための突っ張りワイヤーをシースの軸中心より屈曲部の屈曲内部に向かう方向に配置したことによって、突っ張りワイヤーを牽引すると、シースの先端が牽引されることにより、シースを構成する密着コイルのコイル同士の接点が密接されて強固となるため、柔軟なシースを用いても処置をするときに迅速に硬固とし、屈曲状態を硬固に保持することができる。
【図面の簡単な説明】
【００１８】
【図１】本発明の全体構成を示す図。
【図２】本発明の第１実施形態による先端側の構成を示す図。
【図３】本発明の操作部の構成を示す図。
【図４】本発明の牽引部材の非牽引状態及び牽引状態を示す図。
【図５】本発明の第２実施形態による先端側の構成を示す図。
【図６】本発明の使用例を説明するための図。
【発明を実施するための形態】
【００１９】
以下、本発明による医療用処置具の実施形態を図面を参照して詳細に説明する。
［第１実施形態］
本実施形態による医療用処置具１は、図１に示すように、可撓性のシース２と、シース２の先端に連結される先端支持枠３と、該先端支持枠３に連結される処置部４と、シース２の基端側に設けられる操作部５とを有する。
【００２０】
前記シース２は、図２に示すように、ステンレス線等の密着巻きのコイルパイプから形成されており、先端近傍に、く字状に屈曲され、く字状の頂点側を屈曲外部６ａ、内側を屈曲内部６ｂとする屈曲部６が形成されている。そして、シース２の先端には、先端に向かって延出する一対のアーム部３ａを有する先端支持枠３が嵌合固着されており、該先端支持枠３の内側には、シース２の軸中心より前記屈曲部の屈曲内部に向かう方向に配置され、シース２の先端を牽引するための突っ張りワイヤー７が取り付けられている。
なお、シース２の外周面には、例えば四フッ化エチレン樹脂チューブ等のような電気絶縁性の可撓性チューブである外皮チューブを被覆してもよい。
【００２１】
前記処置部４は、一対の処置片である鉗子カップ８（処置片）と、先端支持枠３の一対のアーム部３ａの先端を貫通し、一対の鉗子カップ８の略中間部を回動可能に１軸支持する支持軸９と、前記鉗子カップ８に一対のスライド軸１０により回動自在に軸支されたプレート状の一対のリンク１２と、該一対のリンク１２を１軸支持するリンク支持軸１１とを備える。そして、操作ワイヤー１５を先端側に押し出すことによりロッド１６を介して支持軸９を中心に鉗子カップ８が回動して先端同士が離間して開放状態となり、操作ワイヤー１５を牽引することによりロッド１６を介して、支持軸９を中心に鉗子カップ８の先端同士が近接して閉止状態となるように構成されている。なお、本例においてはプレート状のリンク１２を用いる例を示したが、これに限られるものではなく、例えば、二股に分かれるようにリンクワイヤを連結し、各リンクワイヤの先端を鉗子カップ８に連結するようにしてもよい。
また、処置部４は、本実施形態で説明する鉗子カップに限られず、例えば把持片や切開ナイフ等であっても良い。
【００２２】
前記操作部５は、図３（ａ）および図３（ａ）を９０度回転させた図である図３（ｂ）に示すように、操作部本体５ａと、操作部本体５ａに対してスライド自在に取り付けられたスライダー５ｂとを有する。操作部本体５ａには、所定の長さにわたって軸方向に溝５ｃが形成されており、その溝にスライダー５ｂが嵌合されることにより、軸方向にスライド自在となっている。また、操作部本体５ａには、締付環１７を介してシース２の基端に取り付けられたシース止め具１８が固定されており、このシース止め具１８は、シースが基端近傍で折れることを防止するための折れ止め部材１９によってシース２の基端に装着されている。また、スライダー５ｂには、シース２および操作部本体５ａの内部に挿通される操作ワイヤー１５が、基端にステンレスパイプ２０を取り付けることにより腰折れ補強された状態で固定されている。このため、操作部本体５ａに対してスライダー５ｂを軸方向に進退操作することにより、操作ワイヤー１５を進退させることができる。
なお、図示しないが、シース２の外周面に電気絶縁性の外皮チューブを被覆して、スライダー５ｂに高周波電源を接続することにより、操作ワイヤー１５を経由して処置部４に高周波電流を通電するようにしてもよい。
【００２３】
また、操作部本体５ａには、突っ張りワイヤー７を牽引操作するための牽引部材２１が取り付けられている。この牽引部材２１は、操作部本体５ａの溝５ｃに軸方向にスライド可能に嵌合し、突っ張りワイヤー７の基端を覆うように取りつけられたストッパー２２を保持する固定板２３と、操作部本体５ａの外周に形成された複数の係合溝５ｄ〜５ｇと係合する係合ピン２４と、操作部本体５ａの外周を軸方向にスライド可能に取り付けられ、固定板２３と係合ピン２４を保持する指掛け部２５と、係合ピン２４を常態で係合方向（係合溝５ｄ〜５ｇに係合する方向）に付勢するバネ２６とを備える。
【００２４】
固定板２３は、操作ワイヤー１５が軸方向に挿通可能な孔２７と、突っ張りワイヤー７の非牽引状態においては、ストッパー２２の軸方向前後に空間を有し、突っ張りワイヤー７の牽引状態においては、ストッパー２２の前方が当接して固定されるようにストッパー２２を保持する保持孔２８を有する。これを詳述すると、図６（ａ）に示す突っ張りワイヤー７の非牽引状態においては、係合ピン２４は係合溝５ｄ〜５ｇのうち、先端側の５ｄに係合されており、突っ張りワイヤー７のストッパー２２の軸方向前後には空間を有し、ストッパー２２は軸方向にフリー状態となっている。そして、その状態から、図６（ｂ）に示すように、図６（ａ）から距離ａ分基端側に指掛け部２５を移動させて係合ピン２４を、係合溝５ｅに係合させると、ストッパー２２の前方（先端側）が保持孔２８の前方（先端側）に当接して、突っ張りワイヤー７が牽引された状態となる。
なお、係合ピン２４の係合する係合溝５ｄ〜５ｇを変更するには、係合ピン２４を操作部本体５ａから離間する方向に引っ張り、指掛け部２５を軸方向に移動させて所望の係合溝の近傍で係合ピン２４を放すと、バネ２６の付勢力によって係合溝に係合ピン２４が係合する。
また、本実施形態においては、係合溝５ｄ〜５ｇを４つ設ける例を示したが、これに限られず、例えば、係合溝を５ｄと５ｅのみにしてもよく、係合溝を５つ以上設けても良い。
【００２５】
このように構成された本実施形態による医療用処置具は、突っ張りワイヤー７の非牽引、牽引によって、シース２を柔軟な状態としたり屈曲状態を硬固に保持したりすることができる。
【００２６】
すなわち、本実施形態による医療用処置具１を使用する際には、例えば図６に示すように、腹部１００に穿刺することにより腹腔１０１に挿入された内視鏡挿通用のトラカール１０４に内視鏡１０５を挿通して、処置対象である患部１０２を観察すると共に、同じく腹部１００に穿刺することにより腹腔１０１に挿入された処置具挿通用のトラカール１０３に本実施形態による医療用処置具１を挿入して患部１０２の処置を行う。
【００２７】
そして、医療用処置具１をトラカール１０３に挿通するときには、図４（ａ）に示す突っ張りワイヤー７の非牽引状態とすると、突っ張りワイヤー７のストッパー２２の軸方向前後には空間があり軸方向にフリー状態となっているため、多少シース２が湾曲したとしても、突っ張りワイヤー７が引っ張られてシースを柔らかい状態にしておくことができ、トラカール１０３内に屈曲部が接触して処置部４を通し難くなったり、処置部４が患部１０２等に接触した際に損傷することがない。
【００２８】
また、処置をするときには、図４（ｂ）に示す突っ張りワイヤー７の牽引状態とすれば、突っ張りワイヤー７はシース２の軸中心より屈曲部６の屈曲内部６ｂ側に配置され且つ先端支持枠３に固定されているため、シース２の先端が牽引され、シース２を構成する密着コイルのコイル同士の接点が密接されて迅速に強固となり、係合ピン２４及び係合溝（５ｅ〜５ｇ）の係合によって、屈曲状態を硬固に保持することができる。このため、シース２の屈曲状態を保持したまま患部１０２に押し当てて処置することができる。
なお、処置が終了して腹腔１０１からシース２を取りだすときには、係合ピン２４の係合位置を係合溝５ｄにして、突っ張りワイヤーの牽引状態を解除すれば、シース２は再度柔軟な状態に戻るため、トラカール１０３内をスムーズに挿通させることができる。
【００２９】
［第２実施形態］
前記実施形態においては屈曲部６を１箇所形成する例を示したが、本発明はこれに限られるものではなく、例えば、図５に示すように、シース２に屈曲部６が複数設けられていても良い。
【００３０】
この第２実施形態による医療用処置具は、上述の第１実施形態と同様に、突っ張りワイヤー７の非牽引、牽引によって、シース２を柔軟な状態としたり屈曲状態を硬固に保持したりすることができると共に、複数個所の屈曲により腹腔内の近接した位置の処置をより好適に行うことができる。
【符号の説明】
【００３１】
１          医療用処置具
２          シース
３          先端支持枠
４          処置部
５          操作部
６          屈曲部
７          突っ張りワイヤー
８          鉗子カップ
１５        操作ワイヤー
２１        牽引部材
２２        ストッパー
２３        固定板
２４        係合ピン
２５        指掛け部
２６        バネ
２８        保持孔
【図１】
2014184011.tif 000003
【図２】
2014184011.tif 000004
【図３】
2014184011.tif 000005
【図４】
2014184011.tif 000006
【図５】
2014184011.tif 000007
【図６】
2014184011.tif 000008